(57)【要約】【課題】  部品点数を削減して軽量化を図りつつもプーリ近傍の取付剛性を確保できるレギュレータプーリの取付構造を提供する。【解決手段】  レギュレータプーリの取付構造では、車体１に形成されたドア開口３を開閉するドア４のインナパネル４２に固定され、インナパネルに形成された開口部６を閉塞する樹脂パネル７と、複数のプーリ５１〜５４間に巻き掛けられた無端可撓伝動部材５５によってドアガラス５８を昇降するウインドレギュレータ５とを備え、複数のプーリ５１〜５４の少なくとも１つを、インナパネル４２に対する樹脂パネル７の固定位置近傍で樹脂パネル７に回転可能に装着した。【選択図】  図２
2006182316.tif 000002
【特許請求の範囲】
【請求項１】
車体に形成されたドア開口を開閉するドアのインナパネルに固定され、前記インナパネルに形成された開口部を閉塞する樹脂パネルと、
複数のプーリ間に巻き掛けられた無端可撓伝動部材によってドアガラスを昇降するウインドレギュレータとを備え、
前記複数のプーリの少なくとも１つが、前記インナパネルに対する前記樹脂パネルの固定位置近傍で、前記樹脂パネルに回転可能に装着されていることを特徴とするレギュレータプーリの取付構造。
【請求項２】
請求項１記載のレギュレータプーリの取付構造において、
前記プーリは板金部材を介して前記樹脂パネルに装着されていて、前記板金部材が前記インナパネルと前記樹脂パネルの間に介装されていることを特徴とするレギュレータプーリの取付構造。
【請求項３】
請求項１または２記載のレギュレータプーリの取付構造において、
前記インナパネルには、前記プーリと対向する部位が開口されていることを特徴とするレギュレータプーリの取付構造。
【請求項４】
請求項１記載のレギュレータプーリの取付構造において、
前記複数のプーリの少なくとも１つは、前記樹脂パネルを介して前記インナパネルに回転可能に支持されていることを特徴とするレギュレータプーリの取付構造。
【発明の詳細な説明】
【技術分野】
【０００１】
本発明は、車両用ドアの内部に装備され、複数のプーリ間に巻き掛けられた無端可撓伝動部材によってドアガラスを昇降するウインドレギュレータのプーリの取付構造に関する。
【背景技術】
【０００２】
車両に形成されたドア開口を開閉する車両用のドアには、ドア内部にウインドレギュレータなどの各種装備品を装着する際に利用する開口部が形成されている。この開口部は、装備品の装着後、車室内側からビニール等のシート材で閉塞される場合や、樹脂製のパネル部材（以下「樹脂パネル」と記す）で閉塞される場合がある。  
ウインドレギュレータは、複数のプーリ間に巻き掛けられた無端可撓伝動部材としてのワイヤを駆動モータで移動させることで、ワイヤに支持されたガラスを昇降するものである。一般にウインドレギュレータは、駆動モータやプーリの取付剛性を確保するため、板金製のブラケットにその構成部品を装着することが多い。このような板金性のブラケットでユニット化されたウインドレギュレータとしては、特許文献１が挙げられる。
【０００３】
【特許文献１】特開平１０−３７５９２号公報
【発明の開示】
【発明が解決しようとする課題】
【０００４】
ウインドレギュレータを樹脂パネルに装着する場合、その取付剛性は樹脂パネルの剛性に左右されることが多く、樹脂パネルの補強を要する。特にウインドレギュレータにおいて、ガラスの昇降を安定して行うためにはプーリの回転を如何にスムーズに行うかが重要である。板金製のブラケットにウインドレギュレータを装着したものにおいては、ブラケットの分だけ部品点数が多くなるともに、ウインドレギュレータ全体を支持する剛性を板金製のブラケットに要求するので自ずと重くなり、樹脂パネルに装着する場合、やはり樹脂パネルの補強が必要になってしまう。  
本発明は、部品点数を削減して軽量化を図りつつもプーリ近傍の取付剛性を確保できるレギュレータプーリの取付け構造を提供することを、その目的とする。
【課題を解決するための手段】
【０００５】
上記目的を達成するため、本発明にかかるレギュレータプーリの取付構造では、車体に形成されたドア開口を開閉するドアのインナパネルに固定され、インナパネルに形成された開口部を閉塞する樹脂パネルと、複数のプーリ間に巻き掛けられた無端可撓伝動部材によってドアガラスを昇降するウインドレギュレータとを備え、複数のプーリの少なくとも１つが、インナパネルに対する樹脂パネルの固定位置近傍で、樹脂パネルに回転可能に装着されていることを特徴としている。  
レギュレータプーリの取付構造においては、プーリを板金部材に装着して、この板金部材をインナパネルと樹脂パネルの間に介装してもよい。さらに、インナパネルには、プーリと対向する部位に開口を形成すると、プーリの取付作業がしやすくなるので好ましい。
本発明にかかるレギュレータプーリの取付構造では、複数のプーリの少なくとも１つを、樹脂パネルを介してインナパネルに回転可能に支持したことを特徴としている。
【発明の効果】
【０００６】
本発明によれば、ドアのインナパネルに対する樹脂パネルの固定位置近傍で、プーリを樹脂パネルに回転可能に支持するので、剛性確保のために用いていた板金部材を用いなくてもプーリの取付近傍の剛性をインナパネルで確保することができ、部品点数を削減して軽量化を図ることができる。特に樹脂パネルを介して、プーリをインナパネルに回転可能に支持する場合、取付部近傍においては、樹脂パネルとインナパネルとが一体化されるので、少ない領域で剛性の確保を図ることができる。
【発明を実施するための最良の形態】
【０００７】
以下、本発明の実施の形態について図面を用いて説明する。図１において、符号１は内部に車室が形成される車体１を示す。この車体１の側部や後部には、車室内への乗り降りや荷物の積み下ろしをするためのドア開口３がそれぞれ形成されている。これら各ドア開口３には、各ドア開口を開閉するためのドア４がそれぞれ開閉自在に装着される。本形態では、車体側部の前側のドア開口とこれを開閉するドア４を例に、以下説明を続ける。
【０００８】
図２に示すように、ドア４は、金属製のアウタパネル４１とインナパネル４２とが接合されて袋状に形成されている。インナパネル４２には、ドア内部へ図１に示すウインドレギュレータ５を収納するための開口部６が形成されている。インナパネル４２の内側には、開口部６を閉塞する樹脂パネル７がボルトまたはねじ等の締結部材８によって締結されている。インナパネル４２の内側には、ドアトリム９が装着される。ドアトリム９は、ドア４の室内側を装飾すると共に、インナパネル４２と樹脂パネル７の締結部分（締結部材４５）を見えないようにしている。
【０００９】
ウインドレギュレータ５は、複数のプーリ５１，５２，５３，５４と、各プーリ間に巻き掛けられた無端可撓伝動部材としてのワイヤ５５と、ワイヤ５５を移動させる駆動モータ５９とを備えている。プーリ５１，５２は左側の上下に、プーリ５３，５４は右側の上下にそれぞれ配置されている。ワイヤ５５は、プーリ５１とプーリ５４及びプーリ５２とプーリ５３とに対角線状になるように各プーリに巻き掛けられている。プーリ５１，５２を結ぶワイヤ５５Ａ、プーリ５３，５４を結ぶワイヤ５５Ｂとは、断面コの字のホルダー５６，５７が略水平に固定されていて、ワイヤの移動に伴い同一方向に上下動可能とされている。ホルダー５６．５７には、ウインドガラス５８の下端５８Ａの両端がそれぞれ固定されている。駆動モータ５９は、ワイヤ５５が巻き付けられるドラム６０を回転させるものである。このため、駆動モータ５９が駆動されてドラム６０が回転すると、その回転方向に応じてワイヤ５５Ａ、５５Ｂが上下方向に移動して、ウインドガラス５８が昇降する。ウインドガラス５８の昇降に際し、このガラスの荷重はワイヤ５５を介してプーリにかかる。特に上方に配置されているプーリ５１，５３には、その負荷が多くかかる。
【００１０】
そこで本形態では、図２に示すように、プーリ５１，５３及びプーリ５２，５４を、樹脂パネル７を介してインナパネル４２に装着している。この装着位置はインナパネル４２に対する樹脂パネル７の符合Ａで示す固定位置近傍とされている。すなわち、各プーリはそれぞれ樹脂パネル７に形成した支持孔７Ａ、７Ｂに装着された円筒状のボス部６１，６２に回転自在に支持されている。各ボス部６１，６２の中心には各ボス部の母線方向に貫通するねじ穴６３，６４が形成されている。各ねじ穴６３，６４と対向するインナパネル４２には締結部材としてのボルト６５，６６を挿通するための孔６７，６８がそれぞれ形成されている。
【００１１】
上方のプーリ５１，５３は、各ボス部６１に挿入されて回転自在に支持されている。プーリ５１，５３を支持した各ボス部６１は、その先端をそれぞれ支持孔７Ａに挿入される。この状態でボルト６５をインナパネル４２の室内側からねじ穴６３に絞め込むことで、プーリ５１，５３がインナパネル４２と樹脂パネル７とに共締めされる。
【００１２】
下方のプーリ５２，５４は、各ボス部６２に挿入されて回転自在に支持されている。プーリ５２，５４を支持した各ボス部６２は、その先端をそれぞれ支持孔７Ｂに挿入される。この状態でボルト６６をインナパネル４２の室内側からねじ穴６４に絞め込むことで、プーリ５２，５４がインナパネル４２と樹脂パネル７とに共締めされる。
【００１３】
このように、インナパネル４２に対する樹脂パネル７の固定位置近傍で、プーリ５１〜５４を樹脂パネル７に回転可能にインナパネル４２と樹脂パネル７とに共締めするので、樹脂パネル７とインナパネル４２とが一体化され、板金部材を用いなくても、インナパネル４２で剛性を確保し、また共締めにより少ない領域で剛性の確保を図ることができる。このため、部品点数を削減して軽量化を図ることができるとともに、各プーリの回転をスムーズに行えるようになりガラス昇降も良好に行える。
【００１４】
図２に示すプーリの取付構造では、各プーリを樹脂パネル７とインナパール４２とに直接取り付ける形態としたが、プーリ５１〜５４の取付形態としては、このような形態に限定されるものではない。
【００１５】
例えば、図３に示すようにも各プーリを、各プーリの直径よりもやや大きい小型の板金部材７０に回転自在にカシメて装着し、この板金部材７０をインナパネル４２と樹脂パネル７の間に介装して固定する。この場合、板金部材７０には、締結部材４５を挿通する孔７０Ａをそれぞれ形成し、樹脂パネル７とインナパネル４２との締結部と重ね合わせて締結部材４５を樹脂パネル７側から孔７０Ａに挿通してインナパネル４２に締結する。更には、図４に示すように、各プーリと対向するインナパネル４２の部位には各プーリをインナパネル４２の内側、すなわちドア４の内部に臨ませる開口としての切欠部７１を、開口部６と連通させて形成する。
【００１６】
このような構成とすると、各プーリは、インナパネル４２に対する樹脂パネル７の固定位置近傍で、板金部材７０が樹脂パネル７とインナパネル４２との締結部を利用して樹脂パネル７とインナパネル４２とに挟み込まれて固定される。このため、樹脂パネル７とインナパネル４２とが一体化されるので、大型の板金部材を用いなくても、少ない領域で剛性の確保を図ることができる。このため、部品点数を削減して軽量化を図ることができるとともに、各プーリの回転をスムーズに行えるようになりガラス昇降も良好に行える。また切欠部７１を開口部６と連通させて形成しているので、各プーリを装着する際の取付作業性が向上する。
【００１７】
図３の構成を取る場合、図４に示すように切欠部７１をインナパネル４２に形成したが、切欠部７１ではなく、図５に示すようにインナパネル４２の各プーリと対向する部位に、各プーリを収納可能な開口７３をそれぞれ形成してもよい。  
上記形態では、樹脂パネル７をインナパネル４２の外側（車幅方向車外側）に位置させているが、インナパネル４２の内側（車幅方向車内側）となる車室内側に配置しても良い。
【図面の簡単な説明】
【００１８】
【図１】本発明のレギュレータプーリの取付構造が採用された車両用ドアの一形態を示す側面図である。
【図２】レギュレータプーリの取付構造を示す拡大断面図である。
【図３】レギュレータプーリの取付構造の別な形態を示す拡大断面図である。
【図４】インナパネルに設けた開口の一形態を示す配置図である。
【図５】インナパネルに設けた開口の別な形態を示す配置図である。
【符号の説明】
【００１９】
１    車体
３    ドア開口
４    ドア
５    ウインドレギュレータ
７    樹脂パネル
９    ドアトリム
４１    アウタパネル
４２    インナパネル
５１〜５４    複数のプーリ
５５    無端可撓伝動部材
５８    ドアガラス
７０    板金部材
７２，７３    開口
Ａ    固定位置近傍
【図１】
2006182316.tif 000003
【図２】
2006182316.tif 000004
【図３】
2006182316.tif 000005
【図４】
2006182316.tif 000006
【図５】
2006182316.tif 000007